(57)【要約】【課題】  任意の場所に設置して楽な姿勢で患者を治療でき、しかも電磁波や点滅を防止して脳や視神経への刺激を軽減する医療用照明装置を提供する。【解決手段】  特定色彩の光を視覚に付与して身体を刺激・活性化させる療法に用いる医療用照明装置において、白熱電球が組み込まれた３体のスポットライト２の照射面に三原色の色フィルター３をそれぞれ取り付け、交流を整流・平滑化した直流電流で各スポットライト２を点灯させる電源回路４をそれぞれ設け、各電源回路４を介して各スポットライト２のいずれか又はそれらを組み合わせて任意の色彩光をスポット照射させるコンピュータ６を設けた。【選択図】図１
2005323661.tif 000002
【特許請求の範囲】
【請求項１】
特定色彩の光を視覚に付与して身体を刺激・活性化させる療法に用いる医療用照明装置において、白熱電球が組み込まれた３体のスポットライトの照射面に三原色の色フィルターをそれぞれ取り付け、交流を整流・平滑化した直流電流で各スポットライトを点灯させる電源回路をそれぞれ設け、各電源回路を介して各スポットライトのいずれか又はそれらを組み合わせて任意の色彩光をスポット照射させる制御手段を設けたことを特徴とする医療用照明装置。
【発明の詳細な説明】
【技術分野】
【０００１】
本発明は、カラーセラピー（色彩療法）に使用される医療用照明装置に関する。
【背景技術】
【０００２】
従来、カラーセラピーにおいて使用される照明装置が特許文献１，２に開示されている。特許文献１の技術は、装置本体の正面に赤・緑・青等を割り当てた光源を水平に複数設けた構造、及び装置内に赤・緑・青の光源を設けて正面のスクリーンに投影できるようにした構造である。特許文献２の技術は、透明又は半透明の円筒体内に赤・緑・青の発光ダイオード等からなる複数の発光素子を放射状に配設した構造である。
【０００３】
ところで、前記各技術は一つの装置本体に各色の光源を備えているから、装置が大型化して配置場所や患者の姿勢に制約を伴う問題があった。また、これらの照明装置は交流電源で駆動されるのが一般的であるが、色彩や明度を調整する交流調光器の電磁波が機器・人体（脳や視神経）に悪影響を与える問題もあった。
【特許文献１】特開平１１−３０９２１３号公報
【特許文献２】特開２００１−１４９４７８号公報
【発明の開示】
【発明が解決しようとする課題】
【０００４】
本発明が解決しようとする課題は、従来のこれらの問題点を解決し、任意の場所に設置して楽な姿勢で治療でき、しかも電磁波や点滅を防止して脳や視神経への刺激を軽減する医療用照明装置を提供することにある。
【課題を解決するための手段】
【０００５】
かかる課題を解決した本発明の構成は、
１）  特定色彩の光を視覚に付与して身体を刺激・活性化させる療法に用いる医療用照明装置において、白熱電球が組み込まれた３体のスポットライトの照射面に三原色の色フィルターをそれぞれ取り付け、交流を整流・平滑化した直流電流で各スポットライトを点灯させる電源回路をそれぞれ設け、各電源回路を介して各スポットライトのいずれか又はそれらを組み合わせて任意の色彩光をスポット照射させる制御手段を設けたことを特徴とする医療用照明装置
にある。
【発明の効果】
【０００６】
本発明によれば、三原色の各光源がスポットライトとして独立しているからスタンドで立設したり天井に吊設して任意の場所に容易に設置でき、患者に所定の姿勢を求めることなく楽な姿勢で治療を行うことができる。また、電源回路が交流を整流・平滑化した直流で駆動するから、電磁波及び点滅を無くして患者への刺激を軽減し、より効果的な治療を行うことができる。
【発明を実施するための最良の形態】
【０００７】
本発明の医療用照明装置は交流電源で駆動されるが、その際は電源回路に交流電流を整流・平滑化する整流回路を設け、得た脈流の直流でスポットライトを駆動させることで電磁波及び点滅を無くして脳や視神経への刺激を軽減させる。以下、本発明の実施例を図面に基づいて具体的に説明する。
【実施例１】
【０００８】
図１は実施例の医療用照明装置の説明図、図２は実施例の医療用照明装置のブロック図、図３は実施例の電源回路図である。図中、１は医療用照明装置、２はスポットライト、３は色フィルター、４は電源回路、５はインターフェイス、６はコンピュータである。
【０００９】
本実施例の医療用照明装置１は、図１，２に示すように白熱電球４ｑが組み込まれた３体のスポットライト２の照射面に赤・緑・青の三原色の色フィルター３をそれぞれ取り付け、各スポットライト２を駆動する電源回路４をそれぞれ設け、各電源回路４を介して各スポットライト２のいずれか又はそれらを組み合わせて任意の色彩光をスポット照射させるコンピュータ６をインターフェイス５を介して接続している。各スポットライト２は例えば図示しないスタンドで立設したり天井に吊設して各光が患者に照射される向きに設置する。
【００１０】
電源回路４は図３に示すように組まれ、図中、４ａは交流電源、４ｂは波形整形整流ダイオード、４ｃはノイズ防止用コンデンサ、４ｄはフィルター用インダクタ、４ｅは突入電流防止用抵抗、４ｆは充放電用コンデンサ、４ｇはブリーダー抵抗、４ｈは電圧降下用抵抗、４ｉは逆流防止用コンデンサ、４ｊは平滑用コンデンサ、４ｋは電圧調整用ボリューム、４ｍは手動・自動切換スイッチ、４ｎはバイアス用抵抗、４ｐは調光用半導体、４ｑは白熱電球、４ｒはデジタル・アナログコンバータを示している。
【００１１】
本実施例では、交流電源４ａから交流電流が供給されると波形整形整流ダイオード４ｂで整流されるとともに平滑用コンデンサ４ｊで平滑化され、得た直流電流が白熱電球４ｑに給電されて点灯する。コンピュータ６からのデジタル信号はデジタル・アナログコンバータ４ｒでアナログ信号に変換され、各白熱電球４ｑを点消灯の切換及び明度の調整をすることで患者の状態に応じた任意の色彩・明度の光を照射させる。手動・自動切換スイッチ４ｍを手動側に切換すると、スポットライト２毎に備えた電圧調整用ボリューム４ｋで個別に明度を調整できる。
【００１２】
本実施例はこのように構成したから、三原色の各光源がスポットライト２として独立しているから、スタンドで立設したり天井に吊設して任意の場所に容易に設置でき、患者に所定の姿勢を求めることなく楽な姿勢で治療を行うことができる。また、電源回路４が交流を整流・平滑化した直流で駆動するから、電磁波及び点滅を無くして患者への刺激を軽減し、より効果的な治療を行うことができる。
【産業上の利用可能性】
【００１３】
本発明の医療用照明装置は、医療・設計・コンピュータに携わる目と脳の刺激を軽減するために用いられる。
【図面の簡単な説明】
【００１４】
【図１】実施例の医療用照明装置の説明図である。
【図２】実施例の医療用照明装置のブロック図である。
【図３】実施例の電源回路図である。
【符号の説明】
【００１５】
１  医療用照明装置
２  スポットライト
３  色フィルター
４  電源回路
４ａ  交流電源
４ｂ  波形整形整流ダイオード
４ｃ  ノイズ防止用コンデンサ
４ｄ  フィルター用インダクタ
４ｅ  突入電流防止用抵抗
４ｆ  充放電用コンデンサ
４ｇ  ブリーダー抵抗
４ｈ  電圧降下用抵抗
４ｉ  逆流防止用コンデンサ
４ｊ  平滑用コンデンサ
４ｋ  電圧調整用ボリューム
４ｍ  手動・自動切換スイッチ
４ｎ  バイアス用抵抗
４ｐ  調光用半導体
４ｑ  白熱電球
４ｒ  デジタル・アナログコンバータ
５  インターフェイス
６  コンピュータ
【図１】
2005323661.tif 000003
【図２】
2005323661.tif 000004
【図３】
2005323661.tif 000005